(57)【要約】【課題】Ｘ線検出器を構成する部品点数を抑制することにより、イメージセンサをより整然と配列させるとともに、シンチレータ板とレンズユニットの離間距離を一定なものとして、歪みのないＸ線透視画像が得られるＸ線検出器と、それを搭載したＸ線撮像装置を提供する。【解決手段】本発明に係るＸ線検出器は、レンズユニット３と、レンズユニットで集光した蛍光を検出する板状のイメージセンサ５と、レンズユニット３とイメージセンサ５を挿入させる支持孔２ａが二次元的に配列されているベース板２とを備え、支持孔２ａはベース板２を貫通しており、支持孔２ａの一端側にレンズユニット３が挿入されているとともに支持孔２ａの他端側にイメージセンサ５が挿入されている。【選択図】図２
2009276218.tif 000002
【特許請求の範囲】
【請求項１】
放射線を光に変換するシンチレータ板と、
前記シンチレータ板から発した光を集光するレンズを備えたレンズユニットと、
前記レンズユニットで集光した光を検出するイメージセンサと、
前記レンズユニットと前記イメージセンサを挿入させる支持孔が二次元的に配列されているベース板とを備え、
前記支持孔は前記ベース板を貫通しており、前記支持孔の一端側に前記レンズユニットが挿入されているとともに前記支持孔の他端側に前記イメージセンサが挿入されていることを特徴とする放射線検出器。
【請求項２】
請求項１に記載の放射線検出器において、前記レンズユニットは、その一側端に前記支持孔よりも径大の張り出し部を備え、その張り出し部が前記支持孔の一端の周縁部に当接していることを特徴とする放射線検出器。
【請求項３】
請求項１または請求項２に記載の放射線検出器を搭載した放射線撮像装置において、
コーン状の放射線ビームを照射する放射線源と、
前記放射線ビームを検出する放射線検出器と、
前記放射線検出器に備えられた前記イメージセンサの各々から取得される断片画像をつなぎ合わせて、単一の放射線透視画像を形成する合成部とを備えることを特徴とする放射線撮像装置。
【発明の詳細な説明】
【技術分野】
【０００１】
本発明は、放射線を検出する放射線検出器に関し、特に、蛍光などの光を発するシンチレータ板と、蛍光を検知するイメージセンサとを備えた放射線検出器、およびそれを搭載した放射線撮像装置に関する。
【背景技術】
【０００２】
Ｘ線撮像装置に使用されるＸ線検出器には、Ｘ線を蛍光に変換するシンチレータ板と、そこから発する光を集光するレンズ群を備えたレンズユニットと、光を検出するイメージセンサを備えたＸ線検出器がある。イメージセンサとしては、汎用のＣＣＤイメージセンサが使用されるため、安価なＸ線検出器を提供するのに優れた構成となっている。
【０００３】
従来のイメージセンサを備えたＸ線検出器の構成について説明する。この種のＸ線検出器５０には、光検出ユニット５１が２次元的に配列されている。図７（ａ）に示すように、光検出ユニット５１は、貫通孔を有する筒状の支持体５２と、貫通孔の一端側から挿入されたレンズユニット５３と、貫通孔の他端側を塞ぐように設けられたイメージセンサ５４と、イメージセンサ５４を制御する制御基板５５と、制御基板５５を支持体５２に固定するための固定ネジ５６とを備えている。
【０００４】
また、Ｘ線検出器５０は、図７（ｂ）に示すように、マトリックス状に配列された複数の開口を有するベース板５７を備えている。そして、ベース板５７の開口の各々に光検出ユニット５１が次々と挿入されることにより、光検出ユニット５１が２次元的に配列されることになる。また、Ｘ線検出器５０は、配列された光検出ユニット５１の各々を覆うようにシンチレータ板５８を備えている。このシンチレータ板５８は、入射したＸ線をイメージセンサ５４が検知することができる蛍光に変換するために設けられている（例えば、特許文献１参照）。
【特許文献１】特開２００２−５２０１４号公報
【発明の開示】
【発明が解決しようとする課題】
【０００５】
しかしながら、従来の構成によれば、Ｘ線検出器を構成する部品点数が多く、各部品を精密に配置することが困難であるという問題点がある。従来の構成によれば、イメージセンサ５４は、支持体５２に支持され、この支持体５２がベース板５７に挿入される。歪みのないＸ線透視画像を取得するには、このイメージセンサ５４が整然と配列されている必要があるが、従来の構成によれば、ベース板５７に設けられた開口は、支持体５２が挿入できるだけの余裕を持った大きさとなっている必要があるため、それだけのクリアランスが設けられている。そのため、ベース板５７における支持体５２の配列は、理想的な２次元配列からずれたものとなり、イメージセンサ５４の配列が乱されることになる。また、イメージセンサ５４は、支持体５２に支持された構成となっている。したがって、イメージセンサ５４は、支持体５２を介してベース板５７に固定されていることになる。支持体５２におけるイメージセンサ５４の配置位置は、光検出ユニット５１の各々で一定であることが理想的であるが、実際に製造すれば、厳密には必ずしも同一とはならず、支持体５２の間でずれたものとなる。このように、従来の構成によれば、支持体５２をベース板５７に精度良く取り付ける必要があるのみならず、イメージセンサ５４を支持体５２に精密に取り付ける必要がある。さもないと、イメージセンサ５４の配列は、すぐにずれて、理想から外れたものとなってしまう。
【０００６】
診断に好適なＸ線透視画像を取得するためには、イメージセンサ５４の配列が重要となる。Ｘ線検出器５０には、３００個程度のイメージセンサ５４が備えられており、イメージセンサ５４で取得される断片画像をつなぎ合わせて、被検体の関心部位が映りこんだＸ線透視画像を形成する。このとき、イメージセンサ５４の配列が乱れたものとなっていると、それに応じて歪んだＸ線透視画像が形成されてしまうことになる。
【０００７】
また、従来の構成によれば、レンズユニット５３は、支持体５２に支持され、この支持体５２がベース板５７に挿入されているが、この様な構成が新たな問題を招く。光検出ユニット５１の各々は、シンチレータ板５８における同一形状の検出範囲を有している。この検出範囲で発した蛍光をレンズユニット５３で集光してイメージセンサ５４に検出させるわけであるが、シンチレータ板５８における検出範囲は、光検出ユニット５１の各々で同一形状である必要がある。そのためには、支持体５２をベース板５７に精度良く取り付ける必要があるのみならず、レンズユニット５３を支持体５２に精密に取り付ける必要がある。さもないと、シンチレータ板５８とレンズユニット５３との離間距離は、光検出ユニット５１の間でバラツいたものとなってしまう。
【０００８】
診断に好適なＸ線透視画像を取得するためには、シンチレータ板５８と、光検出ユニット５１との離間距離が一定である必要がある。もしも、これがバラツいたりすると、光検出ユニット５１が有するシンチレータ板５８における検出領域の大きさもバラツくことになる。つまり、イメージセンサ５４で取得される断片画像の各々に映りこんだ透視画像の倍率が変化してしまう。このような断片画像をつなぎ合わせてＸ線透視画像を形成すると、像の縮尺が区域によってまちまちとなったＸ線透視画像しか得られない。
【０００９】
本発明は、この様な事情に鑑みてなされたものであって、その目的は、放射線検出器を構成する部品点数を抑制することにより、イメージセンサをより整然と配列させるとともに、シンチレータ板とレンズユニットの離間距離を一定なものとして、歪みのない放射線透視画像が得られる放射線検出器と、それを搭載した放射線撮像装置を提供することにある。
【課題を解決するための手段】
【００１０】
本発明は、この様な目的を達成するために、次のような構成をとる。
すなわち、請求項１に記載の発明は、放射線を光に変換するシンチレータ板と、シンチレータ板から発した光を集光するレンズを備えたレンズユニットと、レンズユニットで集光した光を検出するイメージセンサと、レンズユニットとイメージセンサを挿入させる支持孔が二次元的に配列されているベース板とを備え、支持孔はベース板を貫通しており、支持孔の一端側にレンズユニットが挿入されているとともに支持孔の他端側にイメージセンサが挿入されていることを特徴とするものである。
【００１１】
［作用・効果］本発明によれば、放射線検出器の部品点数を確実に抑制することできる。つまり、従来におけるレンズユニットと、イメージセンサとを支持する支持体が不要である。したがって、放射線検出器の製造が簡単なものとなるとともに、放射線検出器の製造コストを抑制することができる。
【００１２】
また、本発明によれば、イメージセンサとレンズユニットのベース板への取り付け精度が向上し、歪みのない放射線透視画像が取得できる。本発明によれば、イメージセンサが直にベース板に嵌合しているので、イメージセンサをより整然と配列させることができる。イメージセンサの配列のバラツキが極力抑えられているので、イメージセンサの各々で取得された断片画像をつなぎ合わせて放射線透視画像を形成するときに、より歪みなく断片画像がつなぎ合わせられることになる。したがって、本発明の放射線検出器によれば、より診断に好適な放射線透視画像を提供することができる。
【００１３】
また、請求項２に記載の発明は、請求項１に記載の放射線検出器において、レンズユニットは、その一側端に支持孔よりも径大の張り出し部を備え、その張り出し部が支持孔の一端の周縁部に当接していることを特徴とするものである。
【００１４】
［作用・効果］上記構成によれば、レンズユニットの各々とシンチレータ板との離間距離のバラツキを極力抑えることができる。レンズユニットにおける一側端には、支持孔よりも径大の張り出し部が備えられており、その張り出し部が支持孔の一端の周縁部に当接するので、ベース板に対するレンズユニットの挿入方向における位置のバラツキを極力抑制することができる。
【００１５】
また、請求項３に記載の発明は、請求項１または請求項２に記載の放射線検出器を搭載した放射線撮像装置において、コーン状の放射線ビームを照射する放射線源と、放射線ビームを検出する放射線検出器と、放射線検出器に備えられたイメージセンサの各々から取得される断片画像をつなぎ合わせて、単一の放射線透視画像を形成する合成部とを備えることを特徴とするものである。
【００１６】
［作用・効果］上記構成によれば、より安価で、歪みが極力抑制された放射線透視画像が取得できる放射線撮像装置が提供できる。上記構成の放射線撮像装置に搭載された放射線検出器を構成する各部品は、上述のように、より精度良く取り付けられている。したがって、放射線検出器に備えられたイメージセンサの各々から取得される断片画像をつなぎ合わせて、単一の放射線透視画像を形成した場合、放射線透視画像における画像の歪みは、より小さなものとなる。また、上記構成の放射線撮像装置に搭載された放射線検出器の部品点数は、より抑制されたものとなっている。これにより、安価な放射線撮像装置が提供できる。
【発明の効果】
【００１７】
本発明によれば、放射線検出器を構成する部品点数を抑制することにより、イメージセンサをより整然と配列させるとともに、シンチレータ板とレンズユニットの離間距離を一定なものとして、歪みのない放射線透視画像が得られる放射線検出器と、それを搭載した放射線撮像装置を提供できる。すなわち、上記構成によれば、イメージセンサが直にベース板に嵌合しているので、イメージセンサをより整然と配列させることができる。これにより、イメージセンサの配列のバラツキが極力抑えられたものとなる。また、レンズユニットにおける一側端は、支持孔よりも径大の張り出し部を備えており、支持孔の一端の周縁部に当接するので、ベース板に対するレンズユニットの挿入方向における位置のバラツキも極力抑制されている。この様な放射線検出器を搭載した放射線撮像装置によれば、放射線検出器に備えられたイメージセンサの各々から取得される断片画像をつなぎ合わせて、単一の放射線透視画像を形成した場合、放射線透視画像における画像の歪みは小さなものとなる。これにより、診断に好適は放射線透視画像が取得できる安価な放射線撮像装置を提供することができる。
【発明を実施するための最良の形態】
【００１８】
以下、本発明に係る放射線検出器、およびそれを搭載した放射線撮像装置の実施例について、図面を参照しながら説明する。なお、実施例１では、放射線撮像装置の実施例としてＸ線撮像装置について説明する。
【実施例１】
【００１９】
図１は、実施例１に係るＸ線検出器の構成を説明する一部破断面図である。図１に示すように、実施例１に係るＸ線検出器１は、後述の各部材を支持する支持孔２ａが例えば、１７×１７のマトリックス状に配列された金属製のベース板２と、ベース板２と平行に配置された蛍光などの光を発するシンチレータ板９と、ベース板２を包含するとともにシンチレータ板９が嵌め込まれた筐体１０を備えている。なお、ベース板２に設けられた支持孔２ａは、ベース板２を貫通する貫通孔となっている。なお、Ｘ線検出器は、本発明の放射線検出器に相当する。
【００２０】
ベース板２の構成を更に詳細に説明する。図２は、実施例１に係るベース板の構成を詳説する断面図である。支持孔２ａの一つに注目すると、支持孔２ａには、蛍光を集光するレンズ４を備えたレンズユニット３が支持孔２ａのシンチレータ板９側の一端側から挿入されており、支持孔２ａの一端を塞いでいる。また、支持孔２ａには、蛍光を検出する板状のイメージセンサ５が支持孔２ａのシンチレータ板９側から見て裏側の他端側から挿入されており、支持孔２ａの他端を塞いでいる。このように、支持孔２ａにレンズユニット３とイメージセンサ５が設けられ、光検出ユニットＵが形成される。
【００２１】
レンズユニット３をより詳細に説明する。レンズユニット３は、アルミニウム等の金属、または、プラスチックからなる円筒形をしていて、円筒の内部に例えば５枚のレンズ４が円筒の軸方向に沿って直列に配列されている。つまり、この円筒の軸方向がレンズユニット３の光軸となっている。そして、円筒の一端は、蛍光を導入する入光端となっており、他端は、蛍光を放出する放出端となっている。なお、レンズユニット３における入光端は、支持孔２ａの一端よりも径大の張り出し部３ａと、蛍光を通過させる導入孔３ｃとを有している。なお、張り出し部３ａは、ベース板２の支持孔２ａの一端の周縁部に当接する（図２参照）。また、入光端は、本発明におけるレンズユニットの一側端に相当する。
【００２２】
レンズユニット３の円筒部の外周面と、支持孔２ａの内周面には、略同一ピッチのネジ溝が設けられており、レンズユニット３には雄ネジ部３ｂ、支持孔２ａには、雌ネジ部２ｂがそれぞれ設けられている。つまり、レンズユニット３は、その雄ネジ部３ｂが支持孔２ａにおける雌ネジ部２ｂに螺合することにより、支持孔２ａに螺着固定されている。レンズユニット３をベース板２の支持孔２ａに螺入させると、レンズユニット３における張り出し部３ａが支持孔２ａの一端の周縁部（ベース板２の上表面）と当接して、これ以上の螺入が禁止される。レンズユニット３は、この時点においてベース板２に確実に螺着されることになる。つまり、レンズユニット３のベース板２に対するレンズユニット３の挿入方向（ｚ方向）の位置は、レンズユニット３における張り出し部３ａが支持孔２ａの一端に当接することで決定される。つまり、ベース板２とレンズユニット３が直接的に当接してｚ方向の位置が決定されることになるので、ベース板２に対するレンズユニット３のｚ方向の位置は、レンズユニット３の各々でバラツキなく略同一なものとなっている。
【００２３】
一方、支持孔２ａのシンチレータ板９側から見て裏側の他端側には、蛍光を検出するイメージセンサ５が嵌合されている。このイメージセンサ５は、蛍光を検出する検出素子が例えば、５１２×４９２のマトリックス状に配列されており、蛍光強度を空間的に検知することができる。また、ベース板２には、イメージセンサ５を覆うように、イメージセンサ５を制御する制御基板６が配置されている。この制御基板６は、イメージセンサ５で検出された蛍光に関するデータを読み出すためのものであり、イメージセンサ５と制御基板６とは、配線７によって電気的に接続されている。なお、この制御基板６は、ベース板２のシンチレータ板９（図１参照）から見て裏面側にネジ８などを用いて固定される。また、制御基板６は、イメージセンサ５の各々に１つずつ設けられている。このイメージセンサ５は、例えば、ＣＣＤ（Ｃｈａｒｇｅ  Ｃｏｕｐｌｅｄ  Ｄｅｖｉｃｅ）で構成される。
【００２４】
レンズユニット３は、円筒形となっているので、レンズユニット３が挿入される支持孔２ａの一端側の開口部の形状は、円形となっている。また、イメージセンサ５は、例えば長方形となっているので、イメージセンサ５が嵌合する支持孔２ａの他端側開口部の形状は、長方形となっている。
【００２５】
シンチレータ板９について説明する。図３は、実施例１に係るＸ線検出器のシンチレータ板の構成を説明する断面図である。図３に示すように、シンチレータ板９は、スペーサ材１１を介してベース板２に支持されている。スペーサ材１１は、角筒状となっており、シンチレータ板９をその四辺から支持するものである。つまり、スペーサ材１１は、シンチレータ板９とベース板２とが確実に平行となるように両板２，９を接合するものである。これにより、シンチレータ板９と、ベース板２に嵌合されたレンズユニット３との離間距離は、レンズユニット３の全てにおいて同一となっている。また、ベース板２の側端部は、筐体１０に当接しており、両材２，１０は、ネジ止めなどによって固着されている。
【００２６】
次に、実施例１に係るＸ線検出器の動作について説明する。図４は、実施例１に係るＸ線検出器の動作を説明する断面図である。シンチレータ板９における領域Ｄ１に入射したＸ線は、蛍光に変換され、光検出ユニットＵ１において検出される。また、この領域Ｄ１に隣接する領域Ｄ２に入射したＸ線は、光検出ユニットＵ１に隣接する光検出ユニットＵ２において検出される。この様に、Ｘ線検出器１には、シンチレータ板９の全領域において、それに対応する光検出ユニットＵが備えられており、シンチレータ板９の全域のＸ線が検出できるようになっている。そして、光検出ユニットＵの各々で取得された断片画像をつなぎ合わせれば、シンチレータ板９の全域における単一のＸ線透視画像を取得することができる。なお、光検出ユニットＵ１が担当するシンチレータ板９における領域Ｄ１と、光検出ユニットＵ１に隣接する光検出ユニットＵ２が担当するシンチレータ板９における領域Ｄ２とを比較すれば、両領域Ｄ１，Ｄ２の一部分は重なり合っている。そうすれば、両領域Ｄ１，Ｄ２をつなぎ合わせるときに、両領域Ｄ１，Ｄ２の間に間隙が生じることがない。同様に、Ｘ線検出器１に設けられた光検出ユニットＵが担当する領域のいずれもが、これに隣接する光検出ユニットＵが担当する領域と重なり合っている。
【００２７】
以上のように、実施例１に係るＸ線検出器１によれば、歪みのないＸ線透視画像が取得できる。実施例１に係る構成によれば、イメージセンサ５が直にベース板２に嵌合しているので、イメージセンサ５をより整然と配列させることができる。これにより、イメージセンサ５の配列のバラツキが極力抑えられているので、イメージセンサ５の各々で取得された断片画像をつなぎ合わせてＸ線透視画像を形成するときに、より歪みなく断片画像がつなぎ合わせられることになる。したがって、実施例１に係るＸ線検出器１によれば、より診断に好適なＸ線透視画像を提供することができる。
【００２８】
また、実施例１の構成によれば、レンズユニット３の各々とシンチレータ板９との離間距離のバラツキを極力抑えることができる。レンズユニット３における入光端は、支持孔２ａの一端よりも径大の張り出し部３ａとなっており、ベース板２の支持孔２ａの一端の周縁部に当接するので、ベース板２に対するレンズユニット３のｚ方向における位置のバラツキを極力抑制することができる。しかも、シンチレータ板９とベース板２とは、スペーサ材１１を介して確実に接合したものとなっているので、シンチレータ板９とベース板２との離間距離は、全ての支持孔２ａの間で同一なものとなっている。したがって、レンズユニット３の各々とシンチレータ板９との離間距離のバラツキは、小さなものとなり、光検出ユニットＵが担当するシンチレータ板９における領域Ｄの大きさのバラツキを極力抑えることができる。つまり、断片画像の各々に映りこんだ像の倍率は、同一なものとなっており、これをつなぎ合わせてＸ線透視画像を形成すれば、より歪みが抑制されたＸ線透視画像が取得できる。
【実施例２】
【００２９】
次に、実施例１で説明したＸ線検出器１を搭載したＸ線撮像装置について図面を参照しながら説明する。
【００３０】
図５は、実施例２に係るＸ線撮像装置の構成を説明する機能ブロック図である。図５に示すように、実施例２に係るＸ線撮像装置２０は、被検体Ｍを載置する天板２１と、天板２１の下部に設けられたイメージセンサを備えるＸ線検出器２２と、天板２１の上部に設けられたコーン状のＸ線ビームをＸ線検出器２２に向けて照射するＸ線管２３と、Ｘ線検出器２２のＸ線検出面を覆うように設けられ散乱Ｘ線を除去するＸ線グリッド２４と、Ｘ線管２３の管電圧を制御するＸ線管制御部２５と、Ｘ線管２３を移動させるＸ線管移動機構２６と、これを制御するＸ線管移動制御部２７と、Ｘ線検出器２２を移動させるＸ線検出器移動機構２８と、これを制御するＸ線検出器移動制御部２９と、Ｘ線検出器２２から出力される断片画像をつなぎ合わせて単一のＸ線透視画像を形成する合成部３０と、Ｘ線透視画像のレベル補正を行うレベル補正部３１と、Ｘ線透視画像を表示する表示部３２とを備えている。なお、Ｘ線撮像装置は、本発明の放射線撮像装置に相当する。
【００３１】
また、Ｘ線撮像装置２０は、各制御部２５，２７，および２９を統括的に制御する主制御部３３をも備えている。この主制御部３３は、ＣＰＵによって構成され、各種のプログラムを実行することにより各制御部２５，２７，および２９，ならびに合成部３０，およびレベル補正部３１を実現している。ちなみに、実施例２の構成における各制御は、それぞれを担当する制御装置に分割されて行われてもよい。なお、Ｘ線管２３は、本発明の放射線源に相当する。
【００３２】
実施例２に係るＸ線撮像装置２０でＸ線透視画像を撮像するには、まず、天板２１に被検体Ｍが仰臥される。そして、Ｘ線検出器２２と、Ｘ線管２３とを被検体Ｍの関心部位を挟む位置に移動させる。そして、Ｘ線管２３は、コーン状のＸ線ビームを照射するように制御される。なお、このコーン状のＸ線ビームは、パルス状となっている。
【００３３】
被検体Ｍを透過したＸ線は、Ｘ線グリッド２４を通過して、Ｘ線検出器２２に入射する。Ｘ線検出器２２において、Ｘ線はいったん蛍光に変換され、それが上述のイメージセンサ５に検出され、被検体Ｍの透視画像の一部が写り込んだ断片画像が取得される。Ｘ線撮像装置２０全体でイメージセンサ５は、例えば、３００個設けられているので、それと同数の断片画像が取得されることになる。
【００３４】
断片画像の各々は、合成部３０に出力され、つなぎ合わされる。合成部３０では、断片画像データの各々に付加されたイメージセンサ５の位置情報を基に、断片画像をタイル状に並べて単一のＸ線透視画像を形成する。そして、合成されたＸ線透視画像は、レベル補正部３１にてレベル補正が施される。ここで、視認に好適なようにＸ線透視画像の輝度特性を調整することができる。最後に、被検体Ｍの関心部位が写っているＸ線透視画像が表示部３２に表示され、撮像は終了となる。
【００３５】
以上のように、実施例１に記載のＸ線検出器を搭載したＸ線撮像装置２０によれば、より診断に好適なＸ線透視画像を提供することができる。実施例２のＸ線撮像装置２０に搭載されたＸ線検出器２２を構成する各部品は、実施例１で説明したように、より精度良く取り付けられている。したがって、Ｘ線検出器２２に備えられたイメージセンサ５の各々から取得される断片画像をつなぎ合わせて、単一のＸ線透視画像を形成した場合、Ｘ線透視画像における画像の歪みは小さなものとなる。
【００３６】
本発明は、上記実施例に限られることなく、下記のように変形実施することができる。
【００３７】
（１）上述した各実施例において、イメージセンサは、ＣＣＤを使用していたが、本発明はこれに限らない。イメージセンサとして、たとえばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）を代わりに使用することができる。
【００３８】
（２）上述した各実施例において、レンズユニット３の一側端は、支持孔２ａの一端よりも径大の張り出し部３ａとなっており、ベース板２の支持孔２ａの一端の周縁部に当接していたが、本発明はこれに限らない。図６に示すように、レンズユニット３の放出端とベース板２とが当接していてもよい。
【００３９】
（３）上述した各実施例において、静止画であるＸ線透視画像を取得する構成を例示したが、本発明はこれに限らない。Ｘ線透視画像を１フレームとして構成される動画を取得する構成としてもよい。
【図面の簡単な説明】
【００４０】
【図１】実施例１に係るＸ線検出器の構成を説明する一部破断面図である。
【図２】実施例１に係るベース板の構成を詳説する断面図である。
【図３】実施例１に係るＸ線検出器のシンチレータ板の構成を説明する断面図である。
【図４】実施例１に係るＸ線検出器の動作を説明する断面図である。
【図５】実施例２に係るＸ線撮像装置の構成を説明する機能ブロック図である。
【図６】本発明における変形例の構成を説明する断面図である。
【図７】従来のＸ線検出器の構成を説明する断面図である。
【符号の説明】
【００４１】
１    Ｘ線検出器（放射線検出器）
２    ベース板
２ａ  支持孔
３    レンズユニット
３ａ  張り出し部
５    イメージセンサ
９    シンチレータ板
２０  Ｘ線撮像装置（放射線撮像装置）
２２  Ｘ線検出器（放射線検出器）
２３  Ｘ線管（放射線源）
３０  合成部
【図１】
2009276218.tif 000003
【図２】
2009276218.tif 000004
【図３】
2009276218.tif 000005
【図４】
2009276218.tif 000006
【図５】
2009276218.tif 000007
【図６】
2009276218.tif 000008
【図７】
2009276218.tif 000009